(57)【要約】      （修正有）【課題】竪穴式住居の内部構造と建造方法について情報を与える竪穴式復元住居を提供する。【解決手段】竪穴式復元住居は組立式で、長方形の各頂点に位置するように設けた４個の孔を有する土台部１０と、土台部１０に立設される４本の縦棒及び該縦棒と連結する４本の横棒とから成る本体枠部２０と、前記４本の横棒のうち対向する２本の横棒に斜めに立て掛けて該本体枠部２０の上方で交差する２本の第１垂木と、該第１垂木とは距離を置いて前記２本の横棒にそれぞれ斜めに立て掛けられ該本体枠部２０の上方で交差する２本の第２垂木とから成る側枠部３０と、前記第１垂木の交差部と前記第２垂木の交差部の間に掛け渡される梁棒及び該梁棒の上に掛ける断面Ｕ字状の屋根材から成る屋根部４０と、第１垂木及び第２垂木間に張り渡される矩形シート状の壁部材５１を備える。【選択図】図１
0003184338.tif 000002
【実用新案登録請求の範囲】
【請求項１】
組立可能な竪穴式復元住居であって、
a)上面に、長方形の各頂点に位置するように設けられた４個の孔を有する板状の土台部と、
b)下端部を前記孔に差し込むことにより前記土台部に立設される４本の縦棒と、各縦棒をその隣りの縦棒と連結する４本の横棒とから成る本体枠部と、
c)前記４本の横棒のうち対向する２本の横棒に前記本体枠部よりも外側の土台部からそれぞれ斜めに立て掛けられて該本体枠部の上方で交差する２本の第１垂木と、該第１垂木とは距離を置いて前記２本の横棒に前記本体枠部よりも外側の土台部からそれぞれ斜めに立て掛けられて該本体枠部の上方で交差する、前記第１垂木と平行な２本の第２垂木とから成る側枠部と、
d)前記第１垂木が交差する部位と前記第２垂木が交差する部位の間に掛け渡される１本の梁棒と、該梁棒の上に掛けられる断面Ｕ字状の屋根材とから成る屋根部と、
e)前記屋根部よりも下部の前記第１垂木及び第２垂木間に張り渡される、複数枚の矩形シート状の壁部材と、
を備えることを特徴とする竪穴式復元住居。
【請求項２】
前記屋根材が、断面Ｕ字状の金属板と、該金属板の上面に貼り付けられた木皮から成ることを特徴とする、請求項１に記載の竪穴式復元住居。
【請求項３】
前記壁部材が、表面に樹脂塗膜を有する、莚材料から成る矩形状シートであることを特徴とする、請求項１又は２に記載の竪穴式復元住居。
【請求項４】
前記４本の横棒のうち、前記第１垂木及び前記第２垂木が立て掛けられる２本の横棒が、前記第１垂木を受ける第１凹部及び前記第２垂木を受ける第２凹部を有することを特徴とする、請求項１から請求項３のいずれかに記載の竪穴式復元住居。
【請求項５】
前記土台部が、複数の分割片を組み合わせて構成されていることを特徴とする、請求項１から請求項４のいずれかに記載の竪穴式復元住居。
【請求項６】
前記第１垂木及び前記第２垂木を前記２本の横棒に固定するための紐状部材を有することを特徴とする、請求項１から請求項５のいずれかに記載の竪穴式復元住居。
【請求項７】
前記壁部材を前記第１垂木及び／又は前記第２垂木に固定するための紐状部材を有することを特徴とする、請求項１から請求項６のいずれかに記載の竪穴式復元住居。
【請求項８】
前記梁棒のうち前記第１垂木の交差部と前記第２垂木の交差部よりも外側に位置する部分に抜け止め凸部を有することを特徴とする、請求項１から請求項７のいずれかに記載の竪穴式復元住居。
【考案の詳細な説明】
【技術分野】
【０００１】
本考案は、竪穴式復元住居に関する。
【背景技術】
【０００２】
従来より、博物館や資料館、歴史館等では、遺跡を手がかりにして復元された古代の住居を展示することが行われている。特に、古代の住居として代表的な竪穴式住居は、古代の技術水準や文化水準を示す歴史的資料として価値があるだけでなく、来訪者に古代の人々の生活風景を想起させるものであるため、竪穴式住居の原寸大又は適宜縮小された復元物（以下、これを「竪穴式復元住居」という）が広く展示されている。
【０００３】
竪穴式住居には、土台の形状や骨組み等といった内部構造や、建造方法において、現代の住居にはない興味深い特徴が数多く存在する。そのため、博物館や資料館等では、竪穴式復元住居を単に展示するだけでなく、中に実際に入ることができるようにしたり、竪穴式住居の内部構造を外部から観察できるような工夫を凝らした展示装置を展示したりしている（特許文献１）。
【先行技術文献】
【特許文献】
【０００４】
【特許文献１】特許第3034321号公報
【考案の概要】
【考案が解決しようとする課題】
【０００５】
しかしながら、従来は、完成状態の竪穴式住居を復元した竪穴式復元住居や展示装置を展示しているだけであるため、竪穴式住居の組み立て手順や、組立作業に要する手間を知ることはできなかった。
【０００６】
本考案は上記課題を解決するために成されたものであり、その目的とするところは、竪穴式住居の内部構造のみならず、組立手順や、組立作業に要する手間についても情報を与えることの可能な竪穴式復元住居を提供することにある。
【課題を解決するための手段】
【０００７】
上記課題を解決するために成された本考案に係る竪穴式復元住居は、組立可能な竪穴式復元住居であって、
a)上面に、長方形の各頂点に位置するように設けられた４個の孔を有する板状の土台部と、
b)下端部を前記孔に差し込むことにより前記土台部に立設される４本の縦棒と、各縦棒をその隣りの縦棒と連結する４本の横棒とから成る本体枠部と、
c)前記４本の横棒のうち対向する２本の横棒に前記本体枠部よりも外側の土台部からそれぞれ斜めに立て掛けられて該本体枠部の上方で交差する２本の第１垂木と、該第１垂木とは距離を置いて前記２本の横棒に前記本体枠部よりも外側の土台部からそれぞれ斜めに立て掛けられて該本体枠部の上方で交差する、前記第１垂木と平行な２本の第２垂木とから成る側枠部と、
d)前記第１垂木が交差する部位と前記第２垂木が交差する部位の間に掛け渡される１本の梁棒と、該梁棒の上に掛けられる断面Ｕ字状の屋根材とから成る屋根部と、
e)前記屋根部よりも下部の前記第１垂木及び第２垂木間に張り渡される、複数枚の矩形シート状の壁部材と、
を備えることを特徴とする。
【考案の効果】
【０００８】
本考案に係る竪穴式復元住居は、竪穴式住居の実際の建造方法に基づいて組立可能に構成したものである。従って、組立作業を通じて、竪穴式住居の内部構造のみならず、その具体的な組立手順に関する情報を作業者に提供することができる。また、組立作業を通じて、組立作業に要する手間を作業者に体感させることができる。
【図面の簡単な説明】
【０００９】
【図１】本考案の一実施例に係る竪穴式復元住居１を前面から見た際の全体模式図。
【図２】本実施例に係る竪穴式復元住居１の土台部１０の上面模式図。
【図３】本実施例に係る竪穴式復元住居１の土台部１０上に本体枠部２０及び側枠部３０を組み立てる際の工程を示す模式図。
【図４】屋根部４０の模式図。
【図５】屋根部４０及び側壁部５０を設置する際の工程を示す模式図。
【図６】完成した竪穴式復元住居１を、（ａ）前面から撮影した写真、（ｂ）後側面から撮影した写真。
【図７】完成した竪穴式復元住居１の前面において、小莚５２を巻き上げた図。
【図８】本実施例に係る竪穴式復元住居１の変形例である土台部１０Ａの上面模式図。
【考案を実施するための形態】
【００１０】
本考案の一実施例に係る竪穴式復元住居１について、図１〜図７を参照しながら以下に説明する。図１は、竪穴式復元住居１の全体模式図である。
【００１１】
〔竪穴式復元住居１の要部の構成について〕
本実施例に係る竪穴式復元住居１を構成する部材は、土台部１０、本体枠部２０、側枠部３０、屋根部４０及び側壁部５０に大別され、これらを組み合わせることによって竪穴式復元住居１が形成される。これら各部は、いずれも後述するように複数の部材によって組み立てられるとともに、組み立てとは逆の手順によって解体することができる。
【００１２】
まず、土台部１０の構成について述べる。
土台部１０は、図２に示されるように、板状の６種類の扇形部材１０ａ、１０ｂ、１０ｃ、１０ｄ、１０ｅ、１０ｆに分割される。扇形部材１０ａ、１０ｂはそれぞれ２枚ずつ、扇形部材１０ｃ、１０ｄ、１０ｅ、１０ｆはそれぞれ１枚ずつから成る。
いずれの扇形部材も、45度の中心角を有する扇形の底材１１と、該底材１１の上面の円周側端部の大部分又は一部に設けられる縁材１２から成る点において共通しているが、縁材１２の配置位置、並びに後述する突起１３、垂木孔１４、縦棒孔１５の数及びその配置位置の点において異なっている。
これらの扇形部材を、扇形部材１０ｅから反時計回り方向に扇形部材１０ｂ、１０ａ、１０ｄ、１０ｃ、１０ｂ、１０ａ、１０ｆの配置順に並べ、後述する突起１３を縁材１２の裏に設けられた図示しない孔に順に嵌合させることによって、１個の円形状の土台部１０となる。
【００１３】
本実施例の各扇形部材の底材１１は、芯材を厚さ9mmのラワン合板で覆うことにより形成されたものである。底材１１は、いずれの扇形部材も半径150cm、厚さ4.8cmであり、その中心円側の先端は半径15.5cmの扇形状に欠けている。
【００１４】
各扇形部材の縁材１２は発泡スチロールをＦＲＰ（繊維強化プラスチック）で被覆して形成されたものである。縁材１２は、厚さ15cm、半径方向の幅15cmであり、扇形部材上面の円周側端部に設けられる。縁材１２の個数及び円周方向の幅はそれぞれの扇形部材によって異なる。
扇形部材１０ａ、１０ｂ、１０ｃ、１０ｄの上面には、円周端部において反時計回り側の半径端から内側に5cm離れたところから、時計回り側の半径端から外側に5cmはみ出したところまで、１個の縁材１２が設けられている。扇形部材１０ｅの上面には、円周端部において両半径端から内側に5cm離れたところの間に１個の縁材１２が設けられている。扇形部材１０ｆの上面には、円周端部においてそれぞれの半径端から内側に14cm離れたところから、外側に5cmはみ出したところまで、計２個の縁材１２が設けられている。
【００１５】
底材１１と縁材１２とは一般的な接着剤により接着されている。また、底材１１と縁材１２は、茶色に着色したポリエステル樹脂を全体に筆で叩きつけることにより地面を模した塗装が施されており、配置順が分かるように番号が表記されている。
【００１６】
扇形部材１０ａ〜１０ｆの底材１１の上面の所定の位置には、それぞれ所定の数の突起１３、垂木孔１４及び縦棒孔１５が設けられている。
突起１３は、直径2cm、高さ4.5cmの円柱状であり、底材１１の円周端から中心方向へ7.5cm、時計回り側又は反時計側の半径端から内側へ2.5cm離れた位置に設けられるが、図２（ａ）に図示されるようにその数と円周方向の位置は扇形部材によって異なっている。扇形部材１０ａ、１０ｂ、１０ｃ及び１０ｄでは反時計回り位置に１個、扇形部材１０ｅでは時計回り位置と反時計回り位置に１個ずつ計２個の突起１３が設けられているが、扇形部材１０ｆには突起１３は設けられていない。
【００１７】
また、扇形部材１０ａ〜１０ｆの底材１１には、後述する短垂木３１、第１垂木３２ａ及び／又は第２垂木３２ｂを挿入して固定するための垂木孔１４が設けられている。垂木孔１４の直径は8cmであり、底材１１の上面を形成するラワン合板を穿孔して作成されている。垂木孔１４はいずれも、縁材１２から中心方向に1cm離れた位置に設けられるが、円周方向の位置並びに数は扇形部材の種類により異なる。
扇形部材１０ａでは反時計回り側の半径端から、また扇形部材１０ｃでは時計回り側の半径端から6cm離れた位置に１個の垂木孔１４が設けられ、扇形部材１０ｂでは両半径端からそれぞれ6cm離れた位置に挟まれた円弧を４分割するように計５個の垂木孔１４が設けられ、扇形部材１０ｄでは両半径端からそれぞれ6cm離れた位置に挟まれた円弧を２分割するように計３個の垂木孔１４が設けられ、扇形部材１０ｆでは両半径端からそれぞれ6cm離れた位置に計２個の垂木孔１４が設けられている。
【００１８】
さらに、扇形部材１０ａ、１０ｃ及び１０ｅの底材１１には、後述する縦棒２１を挿入して固定するための縦棒孔１５が１個ずつ設けられている。扇形部材１０ａは２枚ずつ、扇形部材１０ｃ及び１０ｅはそれぞれ１枚ずつ設けられているため、縦棒孔１５は土台部１０に計４個設けられている。縦棒孔１５の直径は11.5cmであり、扇形部材１０ａ及び１０ｂの半径方向の中心線上において、各扇形部材の中心点から72cm離れたところに設けられる。縦棒孔１５の内部は、内面に地面の色の塗装を施したアルミパイプを挿入することにより、その外周部分が補強されている。
【００１９】
扇形部材１０ｅ以外の各扇形部材において、底材１１からはみ出した縁材１２の裏側には、突起１３に嵌合する孔（図示せず）が設けられている。扇形部材１０ａ〜１０ｆを上述した並び順でもって隙間なく配置する際、この突起１３を隣り合う扇形部材の縁材１２の裏側の孔に挿入して嵌合させることによって隣り合う扇形部材同士を固定する。
【００２０】
扇形部材１０ａ〜１０ｆを固定して土台部１０を形成させると、４個の縦棒孔１５は、一辺が110cmの正方形の各頂点を形成するように配置される。また、扇形部材１０ａ〜１０ｆを並べて成る円の中心には、各扇形部材の中心円側の先端が半径15.5cmの扇形状に欠けているため、直径31cmの孔が形成される。
【００２１】
次に、本体枠部２０の構成について述べる。
本体枠部２０は、下端部を縦棒孔１５に挿入することによって立設される計４本の縦棒２１と、該縦棒のうち隣り合う各２本の縦棒の上端部にそれぞれ架け渡され、前記縦棒２１の上端部に取り外し可能に固定される２本の第１横棒２２と、前記２本の第１横棒２２の一方の端部間及び他方の端部間にそれぞれ架け渡され、前記第１横棒２２に取り外し可能に固定される第２横棒２３ａ及び２３ｂ（第２横棒２３ｂのみ図示）とにより構成される（図１、図３）。
【００２２】
４本の縦棒２１は、いずれも直径10cm、長さ112cmの円柱状の材木で作成されており、割れ止めのために両端付近に針金を巻き締めした上にロープ等を巻き付けたものである。縦棒２１の片端の木口の中心付近には、直径2.6cm、深さ4cmのダボ孔（図示せず）が１個設けられている。ダボ孔の内部は直径2.5cmのステンレスパイプを埋め込むことにより補強されている。
【００２３】
２本の第１横棒２２は、いずれも直径10cm、長さ120cmの円柱状の材木で作成されており、両端から5cmの位置に、木口と水平な方向に貫通するように穿孔された直径2cmのダボ孔（図示せず）が形成されている。また、第１横棒２２に後述する短垂木３１、第１垂木３２ａ及び第２垂木３２ｂを安定的に立て掛けるための凹部２４が、ダボ孔と略平行に形成されている。凹部２４は、第１横棒２２の木口に垂直方向の中心線の中央に一箇所、中央から両端の木口に向かってそれぞれ20cm離れたところと46cm離れたところに計２箇所ずつ、合計５箇所が設けられている。これら計５箇所の凹部２４のうち、片端の１箇所は第１垂木３２ａを（本発明の第１凹部に相当）、他方の片端の１箇所は第２垂木３２ｂを（本発明の第２凹部に相当）、またその間の３箇所は短垂木３１を立て掛けるためのものであり、いずれも土台部１０の扇形部材１０ｂに設けられた垂木孔１４と一対一の対応関係を有している。
【００２４】
第２横棒２３ａ及び２３ｂは、いずれも直径10cm、長さ120cmの円柱状の材木で作成されており、両端からそれぞれ5cmの位置の側面に、木口と水平な方向に穿孔された直径2.6cm、深さ4cmのダボ孔が互いに平行になるように形成されている。このダボ孔の内部は、直径2.5cmのステンレスパイプを埋め込むことにより補強されている。
【００２５】
また、第２横棒２３ｂには、後述する短垂木３１を安定的に立て掛けるための凹部２４が計４箇所設けられている（図３（ｃ））。凹部２４は、木口と垂直方向の中心線の中央から両木口に向かってそれぞれ20cm離れたところに１箇所ずつ、35cm離れたところに１箇所ずつ設けられている。
さらに、もう１本の第２横棒２３ａ（図示せず）には、木口と垂直方向の中心線の中央に一箇所、該中央から両木口に向かってそれぞれ16cm離れたところに１箇所ずつ、33cm離れたところに１箇所ずつ、合計５箇所の凹部２４が設けられている。
第２横棒２３ａ及び２３ｂに設けられたこれらの凹部２４は、土台部１０の扇形部材１０ｂを除く扇形部材に設けられた垂木孔１４と一対一の対応関係を有している。
【００２６】
４本の縦棒２１、２本の第１横棒２２、及び第２横棒２３ａ及び２３ｂは、いずれも全体に油性染料系木地着色剤であるオイルステインを染み込ませることによって表面が補強されている。本実施例では、大阪塗料工業株式会社のオイルステイン（色：チーク及びメープル）使用した。また、第１横棒２２、第２横棒２３ａ及び２３ｂには、いずれも組立の順番を示す番号が表記されている。
【００２７】
側枠部３０の構成について述べる。
側枠部３０は、計１５本の短垂木３１、計２本の第１垂木３２ａ及び計２本の第２垂木３２ｂによって構成される（図１、図３（ｄ）〜（ｇ））。
短垂木３１は、一端の木口の直径が7cm、もう一端の木口の直径が4cm、長さが200cmの細長い円錐台形状の材木で形成されている。また、第１垂木３２ａ及び第２垂木３２ｂは、いずれも一端の木口の直径が7cm、もう一端の木口の直径が4cm、長さが300cmの細長い円錐台形状の材木で形成されている。
短垂木３１、第１垂木３２ａ及び第２垂木３２ｂのいずれにおいても、両端の木口の直径は異なっているが、全体としての直径の変化が緩やかとなるように削られて形成されている。また、いずれにおいても、直径が大きい方の木口付近には、割れ止めのためのアルミパイプが木口に平行方向に貫通している。
【００２８】
屋根部４０の構成について述べる。
屋根部４０は、梁棒４１と、該梁棒４１に架けるようにして取り付けられる断面Ｕ字型の板状の屋根材４２により構成される（図１、図４、図５（ａ）〜（ｄ））。
【００２９】
梁棒４１は、長さ129cm、直径7cmの円柱状の材木のそれぞれの端から7cmの位置に、直径14cm、幅0.9cmのドーナツ型の板材（抜け止め凸部４３）を挿設したものである。
また、屋根材４２は、Ｕ字型に曲げた厚さ0.3cm、幅93cmの金属板の表面に木皮を接着剤で隙間なく貼り付け、金属板に対して木皮をロープで縫い込むようにして固定したものである。本実施例では木皮として杉皮を採用した。杉皮を金属板に貼り付ける際には、杉皮をエポキシ樹脂系接着剤であるエポキシグルーＦ０５（株式会社アルテコ製）に浸漬しながら貼り付けた。このように貼り付けることにより、杉皮の表面全体にエポキシ系接着剤の樹脂塗膜が形成され、杉皮と金属板とが一体となるため、杉皮の部分的な抜け落ちを防止することができる。また、虫による食害も防止される。
図４に示すように、屋根材４２のＵ字型部分に、梁棒４１における２個の抜け止め凸部４３に挟まれた部分を引っ掛けるように配置させることにより、屋根部４０が形成される。
【００３０】
最後に、側壁部５０の構成について述べる。
側壁部５０は、第１垂木及び第２垂木間に張り渡して側枠部３０を覆うための計１１枚の大莚５１と、前面側の第２横棒２３ｂの側面にぶら下げて玄関を形成するための計１枚の小莚５２から成る（図１、図５（ｂ）〜（ｄ））。大莚５１は本発明の壁部材に相当するものである。
【００３１】
大莚５１は、縦幅92cm、横幅160cmの矩形状である。また、小莚５２は、縦幅60cm、横幅120cmの矩形状である。どちらも藁材やイグサ等の植物材料を莚状にまとめたものである。
大莚５１と小莚５２のいずれにおいても、水性−液型ウレタン塗料を両面に複数回塗布することにより、表面の略全体に樹脂塗膜が形成されている。この樹脂塗膜により、全体が覆われて一体となるので、植物材料の部分的な抜け落ちが防止される。また、虫による食害が防止される。本実施例では、塗料としてタケラテＵ（竹林化学工業株式会社製）を用いた。
【００３２】
〔竪穴式復元住居１の組立手順について〕
上述した各要部を組み立てて竪穴式復元住居１を形成する手順について、図２〜図７を参照しながら以下に説明する。
まず、扇形部材１０ｅの反時計回り方向の位置に扇形部材１０ｂを配置し、扇形部材１０ｅの突起１３を扇形部材１０ｂの縁材１２裏側の孔に挿入することにより、扇形部材１０ｅと扇形部材１０ｂとを固定する。次に、扇形部材１０ｂの突起１３を扇形部材１０ａ裏側の孔に挿入することにより、扇形部材１０ｂと扇形部材１０ａとを固定する。このように、扇形部材１０ｅから反時計回り方向に扇形部材１０ｂ、１０ａ、１０ｄ、１０ｃ、１０ｂ、１０ａを順に取り付けていき、最後に扇形部材１０ｆを扇形部材１０ｅと扇形部材１０ａの間に取り付けることによって、土台部１０を作成する。
作成された土台部１０は、連結した縁材１２によって円周の大部分を囲まれた円形状を呈する。扇形部材１０ｆの円周端部の中央付近には縁材１２が設けられていないが、これは縁材１２が設けられていない部分を竪穴式復元住居１の玄関として用いるためである。
【００３３】
なお、以降の説明では、玄関である扇形部材１０ｆ側を「前」、その反対側である扇形部材１０ｄ側を「後」と表現する。また、前面から向かって右を「右」、前面から向かって左を「左」と表現する。
【００３４】
次に、土台部１０の上に本体枠部２０を組み立てる。
まず、土台部１０の上面において、一辺が110cmの正方形の各頂点を形成するように配置されている計４個の縦棒孔１５のそれぞれに、縦棒２１のダボ孔を設けられてない側の端部を挿入して固定する（図３（ａ））。
【００３５】
次に、左面側に固定された計２本の縦棒２１の上端部に、扇形部材１０ｂを跨ぐように第１横棒２２を架け渡し、ダボにより固定する。同様に、右面側に固定された計２本の縦棒２１の上端部にも第１横棒２２を架け渡し、ダボにより固定する（図３（ｂ））。
さらに、前記２本の第１横棒２２の一方の端部間及び他方の端部間のそれぞれに、第２横棒２３ａ及び２３ｂを架け渡し、ダボにより固定する（図３（ｃ））。このとき、２本の第２横棒のうち、凹部２４を計４個有する第２横棒２３ｂを前面側に、凹部２４を計５個有する第２横棒２３ａを後面側に取り付ける。
これにより、土台部１０の上に本体枠部２０が完成する。
【００３６】
さらに、側枠部３０を取り付ける。
上述したように、短垂木３１、第１垂木３２ａ又は第２垂木３２ｂが立て掛けられる凹部２４と垂木孔１４とは、一対一の対応関係を有している。対応する垂木孔１４と凹部２４とを繋ぐように、以下のように短垂木３１、第１垂木３２ａ及び第２垂木３２ｂを取り付けていく。
【００３７】
まず短垂木３１を取り付ける。扇形部材１０ｆ及びそれに隣り合う扇形部材１０ａ及び１０ｅに設けられた計４個の垂木孔１４のそれぞれに短垂木３１を挿入し、前面側の第２横棒２３ｂの側面に設けられた計４個の凹部２４に嵌め込むようにして固定する（図３（ｄ））。同様に、扇形部材１０ｄ及びそれに隣り合う扇形部材１０ａ及び１０ｃに設けられた計５個の垂木孔１４のそれぞれに短垂木３１を挿入し、後面側の第２横棒２３ａの側面に設けられた計５個の凹部２４に嵌め込むようにして固定する。さらに、左右の扇形部材１０ｂの計５個の垂木孔１４のうち、中央の３個に短垂木３１をそれぞれ挿入し、左右の第１横棒２２の計５個の凹部２４のうち中央の３個にそれぞれ立て掛けて短垂木３１を固定する（図３（ｅ））。
【００３８】
次に、第１垂木３２ａ及び第２垂木３２ｂを取り付ける。左右の扇形部材１０ｂの計５個の垂木孔１４のうち最前面側の２個に第１垂木３２ａをそれぞれ挿入し、左右の第１横棒２２の計５個の凹部２４のうち最前面側の２個（第１凹部）にそれぞれ立て掛けて第１垂木３２ａを固定する（図３（ｆ））。同様に、左右の扇形部材１０ｂの計５個の垂木孔１４のうち最後面側の２個に第２垂木３２ｂ（図示せず）を挿入し、左右の第１横棒２２の計５個の凹部２４のうち最後面側の２個（第２凹部）にそれぞれ立て掛けて第２垂木３２ｂを固定する。このとき、同じ第１横棒２２に立て掛けられる第１垂木３２ａと第２垂木３２ｂは互いに平行となる。
上記のように側枠部３０を組み立てると、前面側の第１垂木３２ａ同士が本体枠部２０の上で互いに交差接触して交差部を形成する。同様に、後面側の第２垂木３２ｂ同士も本体枠部２０の上で互いに交差接触して交差部を形成する。
【００３９】
短垂木３１、第１垂木３２ａ及び第２垂木３２ｂを、それぞれが立て掛けられた第１横棒２２、第２横棒２３ａ又は２３ｂにロープ等の紐状部材３３で固定すれば、側枠部３０の本体枠部２０に対する固定がより強固となる（図３（ｇ））。しかし、紐状部材３３で固定しなくても、短垂木３１、第１垂木３２ａ及び第２垂木３２ｂがそれぞれに対応する垂木孔１４及び凹部２４に嵌め込まれるため、短垂木３１、第１垂木３２ａ及び第２垂木３２ｂが本体枠部２０から転落することはない。従って、竪穴式復元住居１を組立後すぐに解体するような場合、紐状部材３３は不要である。
【００４０】
さらに、側枠部３０に屋根部４０を取り付ける。
予め梁棒４１に屋根材４２を掛けて屋根部４０を形成しておく。そして、第１垂木３２ａ同士、及び第２垂木３２ｂ同士が交差接触して形成される計２箇所の交差部に、梁棒４１を架け渡すことにより、側枠部３０に屋根部４０を取り付ける（図５（ａ））。このとき、梁棒４１取り付けられた２個の抜け止め凸部４３の片方が前面側の交差部より前に位置し、抜け止め凸部４３の他方が後面側の交差部より後に位置するようにする。屋根部４０を取り付ける際には、先端がＹ字型の掛け棒を予め２本用意しておき、前面と後面のそれぞれの側から梁棒４１の両端を掛け棒で支持しながら取り付けると良い。
【００４１】
最後に、側枠部３０に側壁部５０を取り付ける。
まず、前面側中央の２本の短垂木３１の間の空間を残すように、５枚の大莚５１で側枠部３０の下段付近を覆っていく。このとき、土台部１０において縁材１２と底材１１が成す角に大莚５１の端部を沿わせるようにしながら、右側の第１垂木３２ａと第２垂木３２ｂ、左側の第１垂木３２ａと第２垂木３２ｂの間、及び後面側の第２垂木３２ｂ間に張り渡すようにして大莚５１を立て掛けていく（図５（ｂ））。さらに、それぞれの大莚５１の植物材料の間にロープ等の紐状部材（図示せず）を通し、第１垂木３２ａや第２垂木３２ｂにくくりつけることにより固定する。こうして側枠部３０の下段付近が大莚５１により覆われる。
【００４２】
側枠部３０の下部を大莚５１で覆った後、同じく前面側中央の２本の短垂木３１の間の空間を残すように、且つ側枠部３０の下部の大莚５１の上端に少し重なるようにしながら、計４枚の大莚５１により側枠部３０の中段付近を覆い、ロープ等の紐状部材によって第１垂木３２ａや第２垂木３２ｂにくくりつけて固定する。さらに側枠部３０の上段において、左右それぞれの第１垂木３２ａと第２垂木３２ｂの間に張り渡すように計２枚の大莚５１を取付けることにより、側枠部３０上段の右面及び左面を覆う（図５（ｃ））。側枠部３０の中段付近及び上段付近を覆う大莚５１についても、ロープ等の紐状部材によって第１垂木３２ａや第２垂木３２ｂにくくりつけて固定する。
【００４３】
最後に、小莚５２の短い方の端部を、前面側の第２横棒２３の中央付近にロープ等の紐状部材で固定してぶら下げることにより、大莚５１で覆われていない前面側中央の２本の短垂木３１の間の空間の下部が塞がれる（図５（ｄ））。これにより、竪穴式復元住居１が完成する。図６（ａ）は完成した竪穴式復元住居１を前面から撮影した写真、図６（ｂ）は後側面から撮影した写真である。
【００４４】
完成した竪穴式復元住居１は人が出入りすることができるが、図７に示すように小莚５２を巻き上げてロープ等の紐状部材により固定すれば、出入りがより容易になる。
【００４５】
完成した竪穴式復元住居１を解体したい場合は、上述した組立手順と逆の手順でもって解体すれば良い。なお、本実施例の竪穴式復元住居１は、組立・解体共に、大人数名又は子供約十名であれば約３０分程度の所要時間で行うことが可能である。
【００４６】
以上に述べたように、本実施例に係る竪穴式復元住居１は組立可能であり、土台部１０、本体枠部２０、側枠部３０、側壁部５０及び屋根部４０を組み立てることにより完成させることができる。上述した各部の構成や、各部を組み立てて竪穴式復元住居１を完成させる手順は、遺跡から復元された竪穴式住居から予想される建造方法に忠実に従ったものである。従って、作業者は、組立作業を通じて竪穴式住居の実際の組立手順を学ぶことができるだけでなく、組立作業に要する手間を体感することもできる。
【００４７】
また、本実施例に係る竪穴式復元住居１では、土台部１０を設置することにより、実際に地面に穴を掘らなくても、本体枠部２０及び側枠部３０を設置するための縦棒孔１５や垂木孔１４を設けることができる。従って、屋内・屋外のどちらであっても竪穴式復元住居１の組立が可能である。
【００４８】
さらに、竪穴式復元住居１の側壁部５０を構成する大莚５１、小莚５２には、植物材料が採用されているが、いずれも水性−液型ウレタン塗料によってその表面全体に樹脂塗膜が施されている。これらの樹脂塗膜により強度が高められ、植物材料の部分的な抜け落ちが防止される。また、竪穴式復元住居１を屋外で長期間放置しても、植物材料の虫による食害をある程度防止できる。
【００４９】
さらにまた、本実施例に係る竪穴式復元住居１は、実際に人が出入りすることができる。従って、完成後の竪穴式復元住居１の中に作業者等が実際に入ってみることにより、その内部構造を詳細に観察できるだけでなく、竪穴式住居で暮らした古代人の生活風景を鮮やかに想起することができる。
【００５０】
土台部１０の中央には、上述したように各扇形部材の中心円側の先端が扇形状に欠けているため、孔が形成されている。その孔をかまどに見立て、中に土器の模造品を置くことによって、竪穴式住居の雰囲気が高まり、古代人の生活風景をより強く想起することができる。側枠部３０の内部にロープ等の紐状部材で土器の模造品を吊してもよい。
【００５１】
なお、変形例として、土台部１０を円形ではなく他の形状とすることができる。図８は、正方形の土台部１０Ａを例示したものであるが、このような形状の土台部であっても、好適に竪穴式復元住居１を組み立てることができる。
【産業上の利用可能性】
【００５２】
本考案に掛かる竪穴式復元住居は、博物館や資料館、歴史館等における体験型の展示物として用いることができる。また、学校の社会科や集団学習等の授業の中で体験型の教材として用いることもできる。
【符号の説明】
【００５３】
１…竪穴式復元住居
１０、１０Ａ…土台部
１０ａ、１０ｂ、１０ｃ、１０ｄ、１０ｆ…扇形部材
１１…底材
１２…縁材
１３…突起
１４…垂木孔
１５…縦棒孔
２０…本体枠部
２１…縦棒
２２…第１横棒
２３ａ、２３ｂ…第２横棒
２４…凹部
３０…側枠部
３１…短垂木
３２ａ…第１垂木
３２ｂ…第２垂木
３３…紐状部材３３
４０…屋根部
４１…梁棒
４２…屋根材
４３…抜け止め凸部
５０…側壁部
５１…大莚（壁部材）
５２…小莚
【図１】
0003184338.tif 000003
【図２】
0003184338.tif 000004
【図３】
0003184338.tif 000005
【図４】
0003184338.tif 000006
【図５】
0003184338.tif 000007
【図７】
0003184338.tif 000008
【図８】
0003184338.tif 000009
【図６】
0003184338.tif 000010